(57)【要約】      （修正有）【課題】写真立て本体にスタンド支持棒を収納でき、落下や紛失を防止するスタンド支持棒収納室付き写真立てを提供する。【解決手段】平板状の合板で写真立て本体１を作成し、表面に写真などを貼着可能な粘着シートを施し、裏面にスタンド支持棒２よりも長い凹形溝の先端の幅はスタンド支持棒２の太さより若干幅広に形成された挿入部３ａと、中間から基端にかけては、下層部の幅は挿入部３ａと略同じ幅でスタンド支持棒２が通過できる程度に形成し、上層部の溝口幅はスタンド支持棒２の太さより若干狭い基端部収納室３ｂをドリルの刃の使用方法を工夫することで作り出すことができたスタンド支持棒収納室３を施すことで、写真立て本体１を、壁掛け時は使用しないスタンド支持棒２を、スタンド支持棒収納室３の挿入部３ａより挿入し、基端部収納室３ｂへ差し込むことで、挿脱自在で係止可能とすることで、紛失防止に役立つ。【選択図】図２
0003228650.tif 000002
【実用新案登録請求の範囲】
【請求項１】
平板状の写真立て本体とスタンド支持棒とからなる写真立てにおいて、前記写真立て本体の表面は粘着シートが貼着されており、前記粘着シートに写真や絵画などを貼着可能となり、前記写真立て本体の裏面に、少なくとも前記スタンド支持棒が通過できる程度よりも深い深さに、且つ、前記スタンド支持棒の全長よりも長い凹形溝の先端の幅を前記スタンド支持棒の太さより若干幅広に形成された挿入部と、中間から基端にかけては、下層部の幅は前記挿入部と略同じ幅で前記スタンド支持棒が通過できる程度に形成し、上層部の溝口幅は前記スタンド支持棒の太さより若干狭く成形することで、前記スタンド支持棒を係止可能とする基端部収納室からとなるスタンド支持棒収納室を施すことで、写真立てを卓上に置くときは、前記写真立て本体が後ろ傾斜に支持される前記スタンド支持棒を前記写真立て本体の裏面に施した嵌脱可能な立て掛け用穴に嵌めて使用可能となり、壁に掛けて使用するときは、前記写真立て本体の裏面に施したダルマ形に形成されたダルマ穴にフックなどに掛けて、使用しない前記スタンド支持棒を前記スタンド支持棒収納室の前記挿入部より挿入し、前記基端部収納室へ差し込むことで、挿脱自在で係止可能な意匠を施したところを特徴とするスタンド支持棒収納室付き写真立て。                                                                                                                                                                                                                                                                                                                                                                                                                                                                                                                          
【考案の詳細な説明】
【技術分野】
【０００１】
本考案は、卓上置きもしくは壁掛けにて飾り方を選択できる写真立てで、卓上に置いて使用する際に必要なスタンド支持棒を、壁掛けのときには使用しないので、写真立て本体に収納できる写真立てに関するものである。
【背景技術】
【０００２】
従来の製品は、スタンド支持棒を収める溝が無く別で保管する必要のあるものや、スタンド支持棒と略同じ長さで引っ掛かりの無い溝が彫ってあり、その溝にスタンド支持棒を収めるタイプで、壁掛け展示や箱などに仕舞う際にはセロハンテープなどで留めないと落下しやすく、紛失にもつながるものであった。
【０００３】
従来、多くの写真立てが考案されており、写真立てのフレームや裏板に写真立てを支える脚体等が固定されているものが提案されており、壁に吊るして飾る際に、脚体等が突出している為、写真立てが壁から浮いた状態で飾られることが多々あった。
【先行技術文献】
【特許文献】
【０００４】
【特許文献１】特開２００２−５１８８５
【特許文献２】公開実用昭和６１年−８６０６７
【特許文献３】公開実用昭和５７年−１６９１７４
【考案の概要】
【考案が解決しようとする課題】
【０００５】
スタンド支持棒収納室の付いていない写真立てを壁に吊るして使用する際に、スタンド支持棒自体を紛失する恐れがある。従って、写真立て自体にスタンド支持棒を収納できる加工をすることにより、前述の課題を解決しようとするものである。
【課題を解決するための手段】
【０００６】
本考案は、平板状の写真立て本体とスタンド支持棒とからなる写真立てにおいて、前記写真立て本体の表面は粘着シートが貼着されており、前記粘着シートに写真や絵画などを貼着可能となり、前記写真立て本体の裏面に、少なくとも前記スタンド支持棒が通過できる程度よりも深い深さに、且つ、前記スタンド支持棒の全長よりも長い凹形溝の先端の幅を前記スタンド支持棒の太さより若干幅広に形成された挿入部と、中間から基端にかけては、下層部の幅は前記挿入部と略同じ幅で前記スタンド支持棒が通過できる程度に形成し、上層部の溝口幅は前記スタンド支持棒の太さより若干狭く成形することで、前記スタンド支持棒を係止可能とする基端部収納室からとなるスタンド支持棒収納室を施すことで、写真立てを卓上に置くときは、前記写真立て本体が後ろ傾斜に支持される前記スタンド支持棒を前記写真立て本体の裏面に施した嵌脱可能な立て掛け用穴に嵌めて使用可能となり、壁に掛けて使用するときは、前記写真立て本体の裏面に施したダルマ形に形成されたダルマ穴にフックなどに掛けて、使用しない前記スタンド支持棒を前記スタンド支持棒収納室の前記挿入部より挿入し、前記基端部収納室へ差し込むことで、挿脱自在で係止可能とすることにより問題を解決している。
【考案の効果】
【０００７】
本考案のスタンド支持棒収納室付き写真立てによれば、極めてシンプルな構造で、安易にスタンド支持棒を取り出したり、片づけたりすることが出来、しかも紛失してしまう可能性を下げる効果がある。極めて便利に使用できる可能性の高いものである。
【図面の簡単な説明】
【０００８】
【図１】本考案のスタンド支持棒収納室付き写真立ての正面図である。
【図２】本写真立てのスタンド支持棒収納室に、スタンド支持棒を収めたところの背面図である。
【図３】本写真立ての左側面図である。
【図４】本写真立ての右側面図である。
【図５】本写真立ての平面図である。
【図６】本写真立ての底面図である。
【図７】本写真立ての図２Ａ−Ａ´線断面図である。
【図８】本写真立ての図２Ｂ−Ｂ´線断面図である。
【図９】本写真立てを左へ９０度回転させ、スタンド支持棒を使用している、背面、右側面及び底面を表す斜視図である。
【図１０】本写真立てを左へ９０度回転させ、スタンド支持棒をスタンド支持棒収納室に収納して、壁にフックで掛けた状態を表した、図２Ｂ−Ｂ´線断面の参考図である。
【考案を実施するための形態】
【０００９】
写真立て本体を壁などに掛けて使用する場合、スタンド支持棒を使用する必要が無いので、スタンド支持棒収納室に片づけて使用できる。
【実施例】
【００１０】
以下、添付図面に従って一実施例を説明する。１は、合板、МＤＦや木材など加工しやすい材質でつくられた平板状のもので、表面は粘着シート８が貼着されており、粘着シート８に写真や絵画などを貼着可能となる写真立て本体、２は、木材、プラスチックや金属などで形成された、写真立てを置いて飾るときに使用するスタンド支持棒、３は、写真立て本体１の裏面に、少なくともスタンド支持棒２が通過できる程度よりも深い深さに、且つ、スタンド支持棒２の全長よりも長い凹形溝の先端の幅をスタンド支持棒２の太さより若干幅広に形成された挿入部３ａと、中間から基端にかけては、下層部の幅は挿入部３ａと略同じ幅でスタンド支持棒２が通過できる程度に形成し、上層部の溝口幅はスタンド支持棒２の太さより若干狭く成形することで、スタンド支持棒２を係止可能とする基端部収納室３ｂからとなるスタンド支持棒収納室、４は、写真立てを卓上に置くために写真立て本体１が後ろ傾斜に支持されるスタンド支持棒２を嵌めて使用する写真立て本体１の裏面に施した嵌脱可能な立て掛け用穴、５は、壁６にフック７に掛けて使用するための、写真立て本体１の裏面に施したダルマ形に形成されたダルマ穴、６は壁掛けに使用する壁、７は壁掛けに使用するフック、８は、写真立て本体１の表面に貼着された粘着シート、写真立て本体１を壁６などにフック７に掛けて飾るときに、使用しないスタンド支持棒２をスタンド支持棒収納室３の挿入部３ａより挿入し、基端部収納室３ｂへ差し込むことで、挿脱自在で係止可能となった。
【産業上の利用可能性】
【００１１】
以上説明したように、本考案によれば、写真立て本体を壁掛けで使用する場合
に、ダルマ穴のフック掛け部分と併用することで、スタンド支持棒をスタンド支持棒収納室に収めることで紛失をふせぎ、また前記スタンド支持棒収納室にひっかかりがついているので、落下する恐れもない。更に従来のスタンドのような背面の凹凸がなく、部品数が少なく、組立や分解がより簡単で外観もスッキリとしているので、付着して壁に展示することができる。
【００１２】
本考案のスタンド支持棒収納室付き写真立てによれば、スタンド支持棒収納室部分を写真立ての裏面以外に表面や側面などにも作り出すことができ、またスタンド支持棒自体の形状、太さ、長さに合わせても作り出すことが出来るので、写真立てのデザインに合わせて作り出すことで、用途や使用状態に応じて便利に使用できる利用可能性がある。
【符号の説明】
【００１３】
１    写真立て本体
２    スタンド支持棒
３    スタンド支持棒収納室
３ａ  挿入部
３ｂ  基端部収納室
４    立て掛け用穴
５    ダルマ穴
６    壁
７    フック
８    粘着シート
【図１】
0003228650.tif 000003
【図２】
0003228650.tif 000004
【図３】
0003228650.tif 000005
【図４】
0003228650.tif 000006
【図５】
0003228650.tif 000007
【図６】
0003228650.tif 000008
【図７】
0003228650.tif 000009
【図８】
0003228650.tif 000010
【図９】
0003228650.tif 000011
【図１０】
0003228650.tif 000012